(57)【特許請求の範囲】
【請求項１】
自身が画成した商品収納通路に商品を一列に並ぶよう収納する複数の商品収納コラムを並設して成る商品ラックを備えた商品収納装置において、
前記商品収納コラム毎に設けられ、かつ常態においては該商品収納コラムに収納された商品が取り出されることを規制する一方、前記商品ラックにおける商品の取り出しが許容される場合には、商品の取出操作に応じて動作して自身に最も近接する商品のみが取り出されることを許容する取出機構と、
前記商品ラックに設けられ、いずれか１つの取出機構が動作することを許容し、かつ該商品ラックにおける他の取出機構が動作することを規制する規制手段と
を有し、
前記取出機構は、
前記商品収納通路に対して進退移動する態様で回動可能に設けられ、常態においては前記商品収納通路に進出して最も下流側にある最下流商品が取り出されることを規制する一方、前記商品収納通路から退避する場合には該最下流商品が取り出されることを許容する第１ゲート部材と、
前記商品収納通路に対して進退移動する態様で前記第１ゲート部材に連係して回動可能に設けられ、前記第１ゲート部材が前記商品収納通路に進出する場合には前記商品収納通路から退避する一方、前記第１ゲート部材が前記商品収納通路から退避する場合には、前記商品収納通路に進出して前記最下流商品の上流側に隣接する商品が下流側に移動することを規制する第２ゲート部材と
を備えてなり、
常態においては基準位置に位置して前記第１ゲート部材が前記商品収納通路から退避することを規制する一方、前記基準位置から移動する場合には、前記第１ゲート部材をフリーな状態にする第１スライド部材と、
常態においては付勢手段に付勢されることで前記商品収納通路から退避する第２ゲート部材に接する一方、前記第１ゲート部材が前記商品収納通路から退避するのに連係して前記第２ゲート部材が前記商品収納通路に進出した場合には、該第２ゲート部材の上方に移動して該第２ゲート部材を商品収納通路に進出した姿勢に保持するロック部材と、
常態においては基準位置に位置して前記ロック部材をフリーな状態にする一方、前記基準位置から移動する場合には、前記ロック部材を前記付勢手段の付勢力に抗して移動させることで前記第２ゲート部材の上方から離脱させる第２スライド部材と、
販売指令が与えられた場合には、前記第１スライド部材に当接して該第１スライド部材を前記基準位置から移動させる一方、解除指令が与えられた場合には、前記第１スライド部材及び前記第２スライド部材に当接して第１スライド部材及び第２スライド部材を基準位置から移動させるカム部材と
を備えたことを特徴とする商品収納装置。
【請求項２】
前記規制手段は、前記商品収納コラムの並設方向に沿って延在するガイド部材の収容域に複数の駒部材が該ガイド部材の延在方向に沿ってスライド移動可能に収容されて構成してあり、商品の取出操作に応じて動作する前記取出機構の一部が前記収容域に進入した場合に、他の取出機構の一部が該収容域に進入することを阻止して該取出機構の動作を規制することを特徴とする請求項１に記載の商品収納装置。
【発明の詳細な説明】
【技術分野】
【０００１】
本発明は、例えば缶入り飲料やペットボトル入り飲料等の商品を販売する自動販売機に適用される商品収納装置に関するものである。
【背景技術】
【０００２】
従来、例えば缶入り飲料やペットボトル入り飲料等の商品を販売する自動販売機には、商品を収納する商品収納コラムと、商品の搬送を行うバケットとを備えた商品収納装置を有するものが知られている。商品収納コラムは、複数の商品を整列した状態で収納するものである。この商品収納コラムは、搬出装置が駆動した場合にはその前端部から商品を１つずつ払い出すものである。一般的な自動販売機では、商品ラックに複数の商品収納コラムが左右方向に沿って並設されている。
【０００３】
バケットは、商品収納コラムから搬出される商品を受け入れるものである。このバケットは、バケット駆動手段により商品ラックの前方域を上下左右に移動可能に設けられている。バケット駆動手段は、バケットを左右方向に沿って移動させることが可能なＸ軸搬送機構と、このＸ軸搬送機構を含む上記バケットを上下方向に沿って移動させるＹ軸搬送機構とを備えて構成されている。
【０００４】
このような商品収納装置では、利用者が所定額以上の金銭を投入して商品選択ボタンを操作することにより、バケット駆動手段が駆動してバケットを購入希望商品が収納された商品収納コラムの前まで移動させる。そして、該商品収納コラムからバケットへの商品の搬出が行われた後、バケットを商品取出口近傍まで移動させる。これにより、利用者は、商品取出口を通じて商品を取り出すことができる（例えば、特許文献１参照）。
【先行技術文献】
【特許文献】
【０００５】
【特許文献１】特開２００６−１６４０５０号公報
【発明の概要】
【発明が解決しようとする課題】
【０００６】
ところで、上述した特許文献１に提案されているような商品収納装置では、商品の払い出しに際しバケット駆動手段を駆動させてバケットを移動させることが必須であり、しかもバケットの移動に種々の制御が必要とされている。そのため、上記商品収納装置では、部品点数が過大なものとなるだけでなく高価なセンサ等を必要としており、コストの増大化を招来していた。
【０００７】
本発明は、上記実情に鑑みて、コストの低減化を図りながら、商品ラックから複数の商品が一度の取出操作で取り出されることを防止することができる商品収納装置を提供することを目的とする。
【課題を解決するための手段】
【０００８】
上記目的を達成するために、本発明の請求項１に係る商品収納装置は、自身が画成した商品収納通路に商品を一列に並ぶよう収納する複数の商品収納コラムを並設して成る商品ラックを備えた商品収納装置において、前記商品収納コラム毎に設けられ、かつ常態においては該商品収納コラムに収納された商品が取り出されることを規制する一方、前記商品ラックにおける商品の取り出しが許容される場合には、商品の取出操作に応じて動作して自身に最も近接する商品のみが取り出されることを許容する取出機構と、前記商品ラックに設けられ、いずれか１つの取出機構が動作することを許容し、かつ該商品ラックにおける他の取出機構が動作することを規制する規制手段とを有し、前記取出機構は、前記商品収納通路に対して進退移動する態様で回動可能に設けられ、常態においては前記商品収納通路に進出して最も下流側にある最下流商品が取り出されることを規制する一方、前記商品収納通路から退避する場合には該最下流商品が取り出されることを許容する第１ゲート部材と、前記商品収納通路に対して進退移動する態様で前記第１ゲート部材に連係して回動可能に設けられ、前記第１ゲート部材が前記商品収納通路に進出する場合には前記商品収納通路から退避する一方、前記第１ゲート部材が前記商品収納通路から退避する場合には、前記商品収納通路に進出して前記最下流商品の上流側に隣接する商品が下流側に移動することを規制する第２ゲート部材とを備えてなり、常態においては基準位置に位置して前記第１ゲート部材が前記商品収納通路から退避することを規制する一方、前記基準位置から移動する場合には、前記第１ゲート部材をフリーな状態にする第１スライド部材と、常態においては付勢手段に付勢されることで前記商品収納通路から退避する第２ゲート部材に接する一方、前記第１ゲート部材が前記商品収納通路から退避するのに連係して前記第２ゲート部材が前記商品収納通路に進出した場合には、該第２ゲート部材の上方に移動して該第２ゲート部材を商品収納通路に進出した姿勢に保持するロック部材と、常態においては基準位置に位置して前記ロック部材をフリーな状態にする一方、前記基準位置から移動する場合には、前記ロック部材を前記付勢手段の付勢力に抗して移動させることで前記第２ゲート部材の上方から離脱させる第２スライド部材と、販売指令が与えられた場合には、前記第１スライド部材に当接して該第１スライド部材を前記基準位置から移動させる一方、解除指令が与えられた場合には、前記第１スライド部材及び前記第２スライド部材に当接して第１スライド部材及び第２スライド部材を基準位置から移動させるカム部材とを備えたことを特徴とする。
【０００９】
また、本発明の請求項２に係る商品収納装置は、上述した請求項１において、前記規制手段は、前記商品収納コラムの並設方向に沿って延在するガイド部材の収容域に複数の駒部材が該ガイド部材の延在方向に沿ってスライド移動可能に収容されて構成してあり、商品の取出操作に応じて動作する前記取出機構の一部が前記収容域に進入した場合に、他の取出機構の一部が該収容域に進入することを阻止して該取出機構の動作を規制することを特徴とする。
【発明の効果】
【００１０】
本発明の商品収納装置においては、商品収納コラム毎に設けられた取出機構が、常態においては商品収納コラムに収納された商品が取り出されることを規制する一方、商品ラックにおける商品の取り出しが許容される場合には、商品の取出操作に応じて動作して自身に最も近接する商品のみが取り出されることを許容している。そして、商品ラックに設けられた規制手段が、いずれか１つの取出機構が動作することを許容し、該商品ラックにおける他の取出機構が動作することを規制している。これにより、従来の商品収納装置のようにバケット駆動手段を用いなくても、利用者が一度の取出操作で複数の商品を取り出すことを抑制できる。従って、コストの低減化を図りながら、商品ラックから複数の商品が一度の取出操作で取り出されることを防止することができるという効果を奏する。
【図面の簡単な説明】
【００１１】
【図１】図１は、本発明の実施の形態である商品収納装置が適用された自動販売機を示す正面図である。
【図２】図２は、本発明の実施の形態である商品収納装置が適用された自動販売機の制御系を示すブロック図である。
【図３】図３は、図１に示した商品収納装置を示す斜視図であり、一部の構成要素を取り除いた状態で示している。
【図４】図４は、最上段の商品ラックにおける最も右側にある商品収納コラムを前方から見た場合を示す拡大前面図である。
【図５】図５は、図３に示した最上段の商品ラックの周辺構造を示す斜視図である。
【図６】図６は、図５に示した周辺構造の要部を拡大して示す斜視図であり、一部の構成要素を取り除いた状態で示している。
【図７】図７は、図５に示した周辺構造の要部を右側から見た場合を示す側面図である。
【図８】図８は、図６に示した周辺構造の要部を一部抜粋して示す斜視図である。
【図９】図９は、図５に示した周辺構造の要部を上方から見た場合を示す平面図であり、一部の構成要素を取り除いた状態で示している。
【図１０】図１０は、最上位の切替カム部材を示す平面図である。
【図１１】図１１は、各切替カム部材を示す平面図である。
【図１２】図１２は、図６〜図７に示した商品収納ラックを構成する商品収納コラムを模式的に示すものであり、右側から見た場合を示す説明図である。
【図１３】図１３は、図３に示した商品収納装置を構成する規制手段を模式的に示す説明図である。
【図１４】図１４は、図２に示した制御手段が実施する販売制御処理の主な処理内容について示すフローチャートである。
【図１５】図１５は、第１スライド板が左方に移動した状態を示す斜視図である。
【図１６】図１６は、最上位の切替カム部材に当接された第１スライド板が左方に移動した状態を示す平面図である。
【図１７】図１７は、最前の商品が取出操作された状態を示す説明図である。
【図１８】図１８は、ロック部材が第２ゲート部材の上方に移動した状態を示す斜視図である。
【図１９】図１９は、ロック部材が第２ゲート部材の上方に移動した状態を示す平面図である。
【図２０】図２０は、第１スライド板及び第２スライド板が左方に移動した状態を示す斜視図である。
【図２１】図２１は、第１スライド板及び第２スライド板が左方に移動した状態を抜粋して示す斜視図である。
【図２２】図２２は、第１スライド板及び第２スライド板が左方に移動した状態を示す平面図である。
【図２３】図２３は、商品収納コラムに商品を補充する場合について示す説明図である。
【図２４】図２４は、缶入り飲料の商品を収納する商品収納コラムを模式的に示す説明図である。
【図２５】図２５は、図２４に示した商品収納コラムにおいて最前の商品が取出操作された状態を示す説明図である。
【図２６】図２６は、本発明の実施の形態である商品収納装置が適用された自動販売機の変形例を示す正面図である。
【発明を実施するための形態】
【００１２】
以下に添付図面を参照して、本発明に係る商品収納装置の好適な実施の形態について詳細に説明する。
【００１３】
図１は、本発明の実施の形態である商品収納装置が適用された自動販売機を示す正面図である。図２は、本発明の実施の形態である商品収納装置が適用された自動販売機の制御系を示すブロック図である。ここで例示する自動販売機は、例えば缶入り飲料やペットボトル入り飲料等の商品を冷却、若しくは加熱した状態で販売するもので、本体キャビネット１が備えられている。
【００１４】
本体キャビネット１は、前面に形成された開口が外扉（扉体）２によって開閉される直方体状の筐体である。外扉２は断熱材が適宜用いられて構成されており、断熱ガラス等の透明板材を嵌め込んでなる窓部２ａを有している。従って、当該自動販売機は外扉２の窓部２ａを介して内部を視認することができるものである。また、外扉２の右端側前面の中央部には把手２ｂが設けられている。
【００１５】
外扉２は、施解錠機構３により開閉移動が規制されるものであり、その開閉状態は扉スイッチ４により検出される。施解錠機構３は、施錠状態においては外扉２が開移動することを規制して本体キャビネット１における前面開口の閉じた状態を保持するものである。また、施解錠機構３は、解錠状態においては外扉２が開閉移動することを許容するものである。扉スイッチ４は、外扉２が本体キャビネット１の前面開口を閉じている場合にオン状態となる。その一方、外扉２が開移動して本体キャビネット１の前面開口を開いている場合には、扉スイッチ４はオフ状態となるものである。
【００１６】
上記本体キャビネット１は、内部が上下２つに区画されており、上側が収納室１ａ、下側が機械室１ｂとなっている。収納室１ａは、その内部を予め設定された温度状態に保持する室であり、該収納室１ａを構成する壁部材はそれぞれ断熱材によって構成されている。また、収納室１ａには、蒸発器等のような収納室の内部空気を冷却するための手段（図示せず）や、電熱ヒータ等のような収納室の内部空気を加熱するための手段（図示せず）が設けられている。一方、機械室１ｂには、上記蒸発器とともに冷凍サイクルを構成する冷凍機（図示せず）や各種の制御機器等（図示せず）が設けられている。
【００１７】
このような本体キャビネット１の右側面には、入力処理ユニット１０が取り付けられている。入力処理ユニット１０は、箱状のユニット本体１１を備えている。このユニット本体１１は、堅牢な構成を有している。ユニット本体１１の前面には、硬貨投入口１２、表示部１３、ラック選択ボタン１４等が設けられている。ユニット本体１１の内部には、金銭処理装置１５が設けられている。
【００１８】
硬貨投入口１２は、硬貨を投入するための開口である。表示部１３は、制御手段１００から表示指令が与えられることにより各種の表示を行うものである。この表示部１３は、例えば投入された金銭の額（投入金額）や、当該自動販売機が販売可能な状態にある場合に「販売中」である旨の表示を行うものである。
【００１９】
ラック選択ボタン１４は、複数（図示の例では４つ）あり、上下に並ぶよう設けられた押ボタンである。ラック選択ボタン１４は、それぞれが後述する商品収納装置２０を構成する商品ラック３０ａ〜３０ｄと関連づけられており、利用者に押下操作されることにより入力信号を制御手段１００に与えるものである。
【００２０】
金銭処理装置１５は、硬貨投入口１２を通じて投入された硬貨の真偽と金種とを識別し、金種毎に硬貨を収容する金銭処理を行うものである。この金銭処理装置１５は、硬貨投入口１２を通じて投入された金額情報を制御手段１００に与えるとともに、釣銭の払い出しを行うものである。釣銭の払い出しは、硬貨返却口１６を通じて行う。尚、金銭処理装置１５は、硬貨投入口１２を通じて硬貨が投入された後に利用者により返却レバー１７が操作された場合にも、硬貨返却口１６を通じて投入された硬貨の払い出しを行うものである。また、金銭処理装置１５は、識別できなかった硬貨についても硬貨返却口１６を通じて硬貨の払い出しを行うものである。
【００２１】
上記本体キャビネット１における収納室１ａには商品収納装置２０が設けられている。図３は、図１に示した自動販売機の商品収納装置２０を示す斜視図であり、一部の構成要素を取り除いた状態で示している。
【００２２】
この図３にも示すように、商品収納装置２０は、商品ラック３０ａ〜３０ｄと、ラック選択機構６０と、取出機構５０と、規制手段７０とを備えて構成されている。
【００２３】
商品ラック３０ａ〜３０ｄは、複数（図示の例では４つ）設けられている。商品収納ラック３０ａ〜３０ｄは、図示せぬ左右一対のラック支持側板間に架け渡されるよう上下方向に沿って複数段設けられている。本実施の形態においては、最上段の商品ラック３０ａ及び最上段から２段目の商品ラック３０ｂは、ペットボトル入り飲料の商品を収納するものであって同一の構成を有している。また、最上段から３段目の商品ラック３０ｃ及び最下段の商品ラック３０ｄは、缶入り飲料の商品を収納するためのものであって同一の構成を有している。
【００２４】
ペットボトル入り飲料の商品を収納する商品ラック（最上段の商品ラック３０ａ及び最上段から２段目の商品ラック３０ｂ）は、複数（図示の例では５つ）の商品収納コラム３１を左右方向に沿って並設することにより構成されている。これら商品収納コラム３１は、それぞれ左右一対のレール部材３２を備えて構成されている。左右一対のレール部材３２は、前後方向に沿って延在するもので、互いの間に商品収納通路を画成するものである。
【００２５】
図４は、最上段の商品ラック３０ａにおける最も右側にある商品収納コラム３１を前方側から見た場合を示す拡大前面図である。尚、図４では最上段の商品ラック３０ａにおける最も右側における商品収納コラム３１について示しているが、最上段の商品ラック３０ａ及び最上段から２段目の商品ラック３０ｂを構成する他の商品収納コラム３１も同様の構成を有している。
【００２６】
最上段の商品ラック３０ａ及び最上段から２段目の商品ラック３０ｂに収納される商品は、キャップ２００ａが着脱可能に取り付けられるキャップ取付部２００ｂから胴体部２００ｄまでの間に括れ部分２００ｃを有する容器（ペットボトル）の内部に飲料が封入されたものである。
【００２７】
レール部材３２は、それぞれ上端部が前後方向に沿って延在する基部３２１に連結されている。この基部３２１は、左右方向に沿って延在する前方側水平部材２１及び後方側水平部材２２に支持されて設けられている。ここで前方側水平部材２１及び後方側水平部材２２は、上記ラック支持側板間に架け渡されている。
【００２８】
このようなレール部材３２は、鋼板が適宜屈曲されて構成されたもので、一方が正面から見た場合にＬ字状をなし、他方が正面から見た場合に逆Ｌ字状をなして左右一対となっている。このような左右一対のレール部材３２における互いの間隙である商品収納通路の幅は、対象商品（ペットボトル入り飲料）の括れ部分２００ｃの最大幅よりも大きく、かつ該商品のキャップ取付部２００ｂの最大幅よりも小さいものである。
【００２９】
従って、前方より商品収納通路に商品の括れ部分２００ｃが挿入されるよう商品が起立した姿勢で投入されると、左右一対のレール部材３２における縁端部３２ａに該商品のキャップ取付部２００ｂの一部が載置する。これにより、レール部材３２は、商品のキャップ取付部２００ｂを支持することでこの商品を吊り下げた状態で支持するとともに、この商品を商品収納通路に前後方向に沿って並ぶよう収納させるものである。
【００３０】
缶入り飲料の商品を収納する商品ラック（最上段から３段目の商品ラック３０ｃ及び最下段の商品ラック３０ｄ）は、ペットボトル入り飲料の商品を収納する商品ラック３０ａ，３０ｂと同様に、複数（図示の例では５つ）の商品収納コラム３１を左右方向に沿って並設することにより構成されている。これら商品ラック３０ｃ，３０ｄに収納される商品は、内部に飲料が封入され、かつ上面及び下面が閉塞された円筒状の形態を成すものである。
【００３１】
これら商品収納コラム３１は、それぞれ左右一対の案内部材３３及び載置部材３４を備えて構成されている。案内部材３３は、前後方向に沿って延在する左右一対のもので、互いの間に商品収納通路を画成するものである。案内部材３３は、それぞれ上端部が前後方向に沿って延在する基部３３１に連結されている。この基部３３１は、左右方向に沿って延在する前方側水平部材２１及び後方側水平部材２２に支持されて設けられている。載置部材３４は、案内部材３３の下方域において前後方向に沿って延在する左右一対のものである。この載置部材３４は、互いに対向する起立片の端部３４１で商品を載置するものである。このような載置部材３４も支持部材（図示せず）を介して上記ラック支持側板に支持されている。また、左右一対の載置部材３４の前端部には、互いを連結するよう規制部材３４ａが設けられている（図１参照）。
【００３２】
このような商品収納コラム３１においては、前方より商品収納通路に商品が起立した姿勢で投入されると、該商品が載置部材３４に載置された状態で商品収納通路に前後方向に並ぶよう収納される。
【００３３】
図５は、図３に示した最上段の商品ラック３０ａの周辺構造を示す斜視図である。図６は、図５に示した周辺構造の要部を拡大して示す斜視図であり、一部の構成要素を取り除いた状態で示している。図７は、図５に示した周辺構造の要部を右側から見た場合を示す側面図である。図８は、図６に示した周辺構造の要部を一部抜粋して示す斜視図である。図９は、図５に示した周辺構造の要部を上方から見た場合を示す平面図であり、一部の構成要素を取り除いた状態で示している。これらの図を必要に応じて用いてラック選択機構６０について説明する。
【００３４】
ラック選択機構６０は、第１スライド板６１と、第２スライド板６２と、支持ロッド６３と、モード検出スイッチ６４とを備えて構成されている。
【００３５】
第１スライド板６１は、各商品ラック３０ａ〜３０ｄにおいてそれぞれの商品収納コラム３１の前方側上方域を左右方向に沿って延在するよう設けられている。第１スライド板６１は、上下方向に沿って延在するスライド基部６１ａと、このスライド基部６１ａの下端より後方に屈曲して延在するスライド底部６１ｂとを有している。
【００３６】
そして、このスライド底部６１ｂには、スライド基部６１ａに形成された切欠に連続する切欠部６１ｂ１が複数形成されている。ここで、スライド底部６１ｂに形成される切欠部６１ｂ１の数は、商品収納ラックを構成する商品収納コラム３１の数に一致していて５つである。このような第１スライド板６１は、第１バネ部材６１Ｓにより常時右方に向けて付勢されており、常態においては基準位置に位置している。
【００３７】
第２スライド板６２は、各商品ラック３０ａ〜３０ｄにおいてそれぞれの商品収納コラム３１の前方側上方域を左右方向に沿って延在するよう設けられている。この第２スライド板６２は、第１スライド板６１の後方側においてこの第１スライド板６１と平行となるように設けられている。この第２スライド板６２は、第２バネ部材６２Ｓにより常時右方に向けて付勢されており、常態においては基準位置に位置している。
【００３８】
第２スライド板６２には、複数の貫通孔６２１が形成されており、この貫通孔６２１を貫通するようロック部材６２２が設けられている。このロック部材６２２は、後端部がロックバネ部材６２２Ｓに連結されており、このロックバネ部材６２２Ｓにより右方に向けて付勢されている。また、ロック部材６２２は、第１スライド板６１を跨るように設けられており、前端部が第１スライド板６１の前方側に位置している。
【００３９】
支持ロッド６３は、商品収納ラック３０ａ〜３０ｄの前方側の右方域において上下に沿って延在する例えば六角柱状の棒状体である。この支持ロッド６３の上端部には連結ギヤ６３１が設けられている。連結ギヤ６３１は連係ギヤ６３２を介してモータＭの出力ギヤ６３３に歯合している。ここでモータＭは、制御手段１００（図２参照）から駆動指令が与えられることにより駆動する駆動源であり、出力ギヤ６３３を上方から見た場合にこの出力ギヤ６３３を時計回りに回転させるものである。これにより該出力ギヤ６３３に連係ギヤ６３２を介して歯合する連結ギヤ６３１も上方から見た場合に時計回りに回転することとなり、支持ロッド６３も自身の中心軸を中心として時計回りに回転するものである。
【００４０】
このような支持ロッド６３には複数（例えば４つ）の切替カム部材６５が取り付けられている。切替カム部材６５は、自身の貫通孔が支持ロッド６３に貫通されるよう取り付けられており、それぞれが各商品ラック３０ａ〜３０ｄの高さレベルに対応している。これら各切替カム部材６５は、支持ロッド６３と一体的に回転するものである。また、切替カム部材６５は、支持ロッド６３に貫通された状態で該支持ロッド６３の延在方向（上下方向）に沿って変位可能であり、各商品ラック３０ａ〜３０ｄの高さレベルに応じて位置を変位させることができる。つまり、切替カム部材６５は、各商品ラック３０ａ〜３０ｄの高さレベルに応じて追従することができる。
【００４１】
図１０に示すように、上記切替カム部材６５には、第１突片６５１と第２突片６５２と第３突片６５３とが設けられている。第１突片６５１は、切替カム部材６５の外周面の下方側において径外方向に向けて突出するよう設けられている。この第１突片６５１は、切替カム部材６５の中心軸（支持ロッド６３の中心軸）を基準として時計回りに例えば６０°にわたって形成されている。
【００４２】
第２突片６５２は、第１突片６５１の端部より上方に向けて延在するよう形成されている。第３突片６５３は、第２突片６５２から中心軸（支持ロッド６３の中心軸）を基準として反時計回りに所定角度離隔した個所に設けられており、上下方向に沿って延在するものである。
【００４３】
そして、支持ロッド６３に取り付けられた各切替カム部材６５は、第１突片６５１及び第２突片６５２が互いに該支持ロッド６３の中心軸回りに所定角度だけ離隔した態様で設けられており、第３突片６５３は、互いに上下に一致するよう設けられている。
【００４４】
ここで各切替カム部材６５における第１突片６５１、第２突片６５２及び第３突片６５３の設置例について述べる。尚、ここで示すものは一例であり、本発明はこれに限定されないことはいうまでもない。
【００４５】
図１１は、各切替カム部材６５を上方から見た場合を示す説明図である。この図１１の（ａ）は、最上位の切替カム部材６５を示しており、図１１の（ｂ）は、最上位から２番目の切替カム部材６５を示している。また、図１１の（ｃ）は、最上位から３番目の切替カム部材６５を示しており、図１１の（ｄ）は、最下位の切替カム部材６５を示している。
【００４６】
最上位から２番目の切替カム部材６５においては、第１突片６５１及び第２突片６５２が最上位の切替カム部材６５の第１突片６５１及び第２突片６５２に対して支持ロッド６３の中心軸を基準として反時計回りに６０°ずれて設けられている。
【００４７】
最上位から３番目の切替カム部材６５においては、第１突片６５１及び第２突片６５２が最上位から２番目の切替カム部材６５の第１突片６５１及び第２突片６５２に対して支持ロッド６３の中心軸を基準として反時計回りに６０°ずれて設けられている。
【００４８】
最下位の切替カム部材６５においては、第１突片６５１及び第２突片６５２が最上位から３番目の切替カム部材６５の第１突片６５１及び第２突片６５２に対して支持ロッド６３の中心軸を基準として反時計回りに６０°ずれて設けられている。
【００４９】
そして、最上位の切替カム部材６５における第３突片６５３は、該切替カム部材６５における第１突片６５１の中央部から支持ロッド６３の中心軸を基準として反時計回りに２４０°ずれて設けられている。最上位から２番目の切替カム部材６５における第３突片６５３は、該切替カム部材６５における第１突片６５１の中央部から支持ロッド３の中心軸を基準として反時計回りに１８０°ずれて設けられている。また、最上位から３番目の切替カム部材６５における第３突片６５３は、該切替カム部材６５における第１突片６５１の中央部から支持ロッド３の中心軸を基準として反時計回りに１２０°ずれて設けられており、最下位の切替カム部材６５における第３突片６５３は、該切替カム部材６５における第１突片６５１の中央部から支持ロッド６３の中心軸を基準として反時計回りに６０°ずれて設けられている。
【００５０】
モード検出スイッチ６４は、モータＭの出力ギヤ６３３に噛合するモードギヤ６４１の状態を検出することで切替カム部材６５の回転角度位置を検出するものである。かかるモード検出スイッチ６４は、回転角度位置を検出すると、その旨を検出信号として制御手段１００に与える。ここでモード検出スイッチ６４が、検出する回転角度位置の一例について述べる。尚、ここで示すものは一例であり、本発明はこれに限定されないことはいうまでもない。
【００５１】
モード検出スイッチ６４が検出する回転角度位置は、「待機位置」、「６０°回転位置」、「１２０°回転位置」、「１８０°回転位置」、「２４０°回転位置」、「３００°回転位置」の６つである。
【００５２】
「待機位置」は、基準となる位置であり、切替カム部材６５のいずれもが第１スライド板６１及び第２スライド板６２に当接しない位置である。
【００５３】
「６０°回転位置」は、「待機位置」から支持ロッド６３が時計回りに６０°回転した位置である。かかる位置では、最上位の切替カム部材６５の第１突片６５１が最上段の商品ラック３０ａの第１スライド板６１に当接してこれを左方に移動させる。
【００５４】
「１２０°回転位置」は、「待機位置」から支持ロッド６３が時計回りに１２０°回転した位置である。かかる位置では、最上位から２番目の切替カム部材６５の第１突片６５１が最上段から２番目の商品ラック３０ｂの第１スライド板６１に当接してこれを左方に移動させる。
【００５５】
「１８０°回転位置」は、「待機位置」から支持ロッド６３が時計回りに１８０°回転した位置である。かかる位置では、最上位から３番目の切替カム部材６５の第１突片６５１が最上段から３番目の商品ラック３０ｃの第１スライド板６１に当接してこれを左方に移動させる。
【００５６】
「２４０°回転位置」は、「待機位置」から支持ロッド６３が時計回りに２４０°回転した位置である。かかる位置では、最下位の切替カム部材６５の第１突片６５１が最下段の商品ラック３０ｄの第１スライド板６１に当接してこれを左方に移動させる。
【００５７】
「３００°回転位置」は、「待機位置」から支持ロッド６３が時計回りに３００°回転した位置である。かかる位置では、すべての切替カム部材６５の第３突片６５３が各商品ラック３０ａ〜３０ｄの第１スライド板６１及び第２スライド板６２に当接してこれらを左方に移動させる。
【００５８】
図１２は、図６〜図７に示した商品収納ラック３０ａを構成する商品収納コラム３１を模式的に示すものであり、右側から見た場合を示す説明図である。この図１２にも示すように、取出機構５０は、商品収納コラム３１毎に設けられている。尚、図示の例では、最上段の商品収納ラック３０ａの商品収納コラム３１に配設されたものについて示しているが、取出機構５０は、各商品収納ラック３０ａ〜３０ｄの商品収納コラム３１毎に設けられている。
【００５９】
取出機構５０は、第１ゲート部材５１と第２ゲート部材５２とを備えて構成されている。第１ゲート部材５１は、左右方向に沿って延在する軸部５０ａに支持される基端部５１１と、この基端部５１１よりも前方側に向けて延在する先端部５１２とを備えている。この第１ゲート部材５１は、軸部５０ａの中心軸を中心としてその中心軸回りに回動することが可能である。この第１ゲート部材５１と軸部５０ａとの間には、ゲートバネ部材（図示せず）が介在されている。そのため、第１ゲート部材５１は、ゲートバネ部材に付勢されて下方に向けて回動した姿勢となっており、先端部５１２が商品収納通路に進出している。このように第１ゲート部材５１の先端部５１２が商品収納通路に進出している場合には、かかる先端部５１２は最前の商品の前方域に位置している。そして、第１ゲート部材５１は、ゲートバネ部材の付勢力に抗して上方に向けて回動すると、先端部５１２が商品収納通路から退避することになる。
【００６０】
また、第１ゲート部材５１は、後方に向けて突出する第１係合片５１３を有している。第１ゲート部材５１の先端部５１２が商品収納通路に進出した姿勢であって、かつ第１スライド板６１が基準位置に位置している場合には、かかる第１係合片５１３が切欠部６１ｂ１の左側縁部の上方域に位置している（図８参照）。これにより第１ゲート部材５１は、上方に向けて回動しようとしても第１係合片５１３が切欠部６１ｂ１の左側縁部に当接することで上方に向けての回動が規制されている。
【００６１】
第２ゲート部材５２は、第１ゲート部材５１よりも後方側に設けられており、上記軸部５０ａの中心軸回りに回動することが可能である。この第２ゲート部材５２は、第１ゲート部材５１と板バネ部材５３を介して連結されている。
【００６２】
かかる第２ゲート部材５２は、第１ゲート部材５１の先端部５１２が商品収納通路に進出している場合には、自身の先端部５２２が商品収納通路から退避した姿勢となるものである。その一方、第１ゲート部材５１の先端部５１２が商品収納通路から退避する場合には、先端部５２２が商品収納通路に進出した姿勢となるものである。このように先端部５２２が商品収納通路に進出している場合には、かかる先端部５２２は、最前から２番目の商品の前方域に位置している。
【００６３】
また、第２ゲート部材５２は、左方に向けて突出する第２係合片５２３を有している。この第２係合片５２３は、第１ゲート部材５１における第１係合片５１３の前方側の凹みに進入して係止している。
【００６４】
このような第２ゲート部材５２は、第１ゲート部材５１と板バネ部材５３を介して連結されるものなので、基本的には第１ゲート部材５１と一体的に回動するものである。しかしながら、第２ゲート部材５２は、先端部５２２に対して商品収納通路から退避させるような力が作用したときには、該板バネ部材５３の付勢力に抗して上方に回動するものである。
【００６５】
上記商品収納コラム３１においては、プッシャ部材４０及び取出検出センサ５（図２参照）が設けられている。
【００６６】
プッシャ部材４０は、商品収納通路に進入した形態で設けられている。このプッシャ部材４０は、図１２に示すように左右一対のゼンマイバネ部材４１により常時前方に付勢されている。これらゼンマイバネ部材４１は、それぞれ先端部がレール部材３２の先端部分に固定して設けられている。このようなプッシャ部材４０は、商品収納通路に収納された商品のうち最後尾の商品に当接して前方に向けて押圧するものである。これにより商品収納通路では、各商品が前方側に向けて押圧されて収納される。
【００６７】
取出検出センサ５は、商品収納通路に進出した第１ゲート部材５１の先端部５１２よりも前方側に設けられている。かかる取出検出センサ５は、例えば光センサのようなものであり、所定の監視域を商品が通過した場合にその旨を検出し、検出結果である検出信号を制御手段１００に送出するものである。
【００６８】
図１３は、図３に示した商品収納装置２０を構成する規制手段７０を模式的に示す説明図である。規制手段７０は、ガイド部材７１と駒部材７２とを備えて構成されている。ガイド部材７１は、各商品ラック３０ａ〜３０ｄにおいてそれぞれの商品収納コラム３１の前方側上方域を左右方向に沿って延在するよう設けられている。
【００６９】
駒部材７２は、複数設けられている。これら駒部材７２は、ガイド部材７１の収容域７１ａにそれぞれが左右方向に沿ってスライド移動可能に収容されている。そして、このような規制手段７０において収容域７１ａに形成されるスペースＳ１，Ｓ２の合計幅は、取出機構５０を構成する第１ゲート部材５１の突部５１２ａの幅よりも僅かに大きいものである。
【００７０】
従って、図１３の（ｂ）に示すように、各商品収納コラム３１に配設された取出機構５０のうち、いずれか１つの第１ゲート部材５１の突部５１２ａが収容域７１ａに進入した場合には、該収容域７１ａには他の取出機構５０の第１ゲート部材５１の突部５１２ａが進入できるスペースが存在しない。
【００７１】
このように規制手段７０は、商品の取出操作に応じて商品収納通路から退避する１つの第１ゲート部材５１における先端部５１２の突部５１２ａが収容域７１ａに進入した場合に、他の取出機構５０における第１ゲート部材５１の先端部５１２の突部５１２ａが該収容域７１ａに進入することを阻止して他の取出機構５０における第１ゲート部材５１の上方への回動を規制するものである。
【００７２】
図１４は、図２に示した制御手段１００が実施する販売制御処理の主な処理内容について示すフローチャートである。かかる販売制御処理を説明しながら、上記商品収納装置２０を備えた自動販売機の動作について説明する。
【００７３】
かかる販売制御処理において制御手段１００は、金銭処理装置１５から与えられた投入額（金額情報）が商品価格以上となる場合（ステップＳ１０１：Ｙｅｓ）、該当するラック選択ボタン１４を有効なものとする（ステップＳ１０２）。
【００７４】
有効なものとしたラック選択ボタン１４のうち最上段の商品ラック３０ａに関連付けられたラック選択ボタン１４が押下された場合（ステップＳ１０３：Ｙｅｓ）、制御手段１００は、販売指令が与えられたものとしてモータＭを駆動させる（ステップＳ１０４）。そして、モード検出スイッチ６４により「６０°回転位置」が検出された場合（ステップＳ１０５：Ｙｅｓ）、制御手段１００は、モータＭを駆動停止にするとともに施解錠機構３を駆動させて解錠状態にさせる（ステップＳ１０６，ステップＳ１０７）。これにより利用者は、外扉２を開移動することができる。
【００７５】
また、「６０°回転位置」で停止させたので、支持ロッド６３は「待機位置」から６０°時計回りに回転し、最上位の切替カム部材６５の第１突片６５１が第１スライド板６１の第１スライド当接部６１２に当接する。これにより、第１スライド板６１は、第１バネ部材６１Ｓの付勢力に抗して左方に向けて移動する（図１５及び図１６参照）。
【００７６】
このように第１スライド板６１が左方に向けて移動すると、第１スライド板６１の切欠部６１ｂ１が第１ゲート部材５１の第１係合片５１３の下方域に位置し、第１係合片５１３の下方域は開放されることになる。これにより最上段の商品ラック３０ａおける各取出機構５０の第１ゲート部材５１は、ゲートバネ部材に付勢されているもののフリーな状態となって上方に向けて回動することが可能になる。
【００７７】
ところで、最上段の商品ラック３０ａ以外の商品ラック３０ｂ〜３０ｄでは、それぞれの商品ラック３０ｂ〜３０ｄに対応する高さレベルに取り付けられた切替カム部材６５が第１スライド当接部６１２に当接していない。従って、最上段以外の商品ラック３０ｂ〜３０ｄでは、各商品収納コラム３１に配設された取出機構５０の第１ゲート部材５１が第１スライド板６１により規制されている。そのため、これらの商品ラック３０ｂ〜３０ｄでは、各商品収納コラム３１に収納された商品を取り出すことを防止している。
【００７８】
このようにラック選択機構６０は、待機状態においては、すべての商品ラック３０ａ〜３０ｄを商品の取り出しを規制する状態にする一方、販売指令が与えられた場合には指定された段の商品ラック３０ａのみ商品の取り出しを許容する状態にする。
【００７９】
そして、利用者が商品ラック３０ａの例えば右から２番目の商品収納コラム３１に収納された最前の商品を前方に引き出す取出操作を行うと、取出機構５０は次のように動作する。図１７に示すように、第１ゲート部材５１は、ゲートバネ部材の付勢力に抗して先端部５１２が商品収納通路から退避するよう上方に向けて回動する。この場合、第２ゲート部材５２も第１ゲート部材５１と一体的に先端部５２２が商品収納通路に進出するよう下方に向けて回動する。これにより、第２ゲート部材５２の先端部５２２は、取り出される最前の商品と最前から２番目の商品との間に位置する。
【００８０】
このように第２ゲート部材５２が下方に向けて回動すると、図１８及び図１９に示すように、左側の第１ゲート部材５１が上方に向けて回動しロック部材６２２がロックバネ部材６２２Ｓに付勢されて右方に向けて移動する。そして、ロック部材６２２が第２ゲート部材５２の第２係合片５２３の上方に位置し、これにより第２ゲート部材５２は、下方に向けて回動した姿勢に保持される。これにより、第１ゲート部材５１も上方に向けて回動した姿勢に保持される。従って、最前から２番目の商品より後方側に収納された商品を前方に向けて移動させることができず、同一の商品収納コラム３１において複数の商品が前方に取り出されることを規制することができる。
【００８１】
また、上方に向けて回動した第１ゲート部材５１は、先端部５１２の突部５１２ａが規制手段７０を構成するガイド部材７１の収容域７１ａに進入することになる。これにより最上段の商品ラック３０ａにおける他の商品収納コラム３１に配設された取出機構５０の第１ゲート部材５１は、突部５１２ａが駒部材７２の存在によりガイド部材７１の収容域７１ａに進入することが阻止され、結果的に上方に向けて回動することができない。従って、同一の商品ラック３０ａにおいて他の商品収納コラム３１から商品が取り出されることを抑制することができる。
【００８２】
利用者により所定の商品収納コラム３１から最前の商品が取り出されると、該商品収納コラム３１に配設された取出検出センサ５がその旨を検出し、制御手段１００に検出信号を与えることとなる。
【００８３】
取出検出センサ５から検出信号が与えられ、かつその後に外扉２が閉移動されて扉スイッチ４がオフ状態からオン状態に切り替わると（ステップＳ１０８：Ｙｅｓ，ステップＳ１０９：Ｙｅｓ）、制御手段１００は、商品が取り出された後に本体キャビネット１の前面開口が閉成されたことを認識することができる。
【００８４】
かかる認識をした制御手段１００は、施解錠機構３を駆動させて施錠状態にさせた後、金銭処理装置１５に取出指令出力を与えるとともに、解除指令をモータＭに与えて駆動させる（ステップＳ１１０，ステップＳ１１１，ステップＳ１１２）。
【００８５】
かかる制御手段１００より取出指令出力が与えられた金銭処理装置１５では、釣銭がある場合には釣銭を硬貨返却口１６に払い出すとともに、商品価格に相当する金銭を金種毎に収容する。
【００８６】
また、モータＭを駆動させることで、支持ロッド６３を所定の停止位置である「待機位置」まで時計回りに回転させる。
【００８７】
この支持ロッド６３の回転により、最上位の切替カム部材６５は、第１突片６５１に連続する第２突片６５２が、第２スライド板６２の右端側である第２スライド当接部６２３にも当接する。これにより第２スライド板６２は、第２バネ部材６２Ｓの付勢力に抗して左方に移動することになる（図２０〜図２２参照）。この第２スライド板６２が左方に向けて移動することで、ロック部材６２２も左方に向けて移動し、第２ゲート部材５２の上方から離脱する。これにより第２ゲート部材５２の上方域は開放される。これによりゲートバネ部材に付勢されて第１ゲート部材５１が下方に向けて回動するとともに、第２ゲート部材５２も上方に向けて回動する。そして、第１ゲート部材５１の先端部５１２が商品収納通路に進出し、第２ゲート部材５２の先端部５２２が商品収納通路から退避する。商品収納通路に収納された商品は、プッシャ部材４０に押圧されて前方側に寄せられる。
【００８８】
その後、支持ロッド６３の回転により最上位の切替カム部材６５の第２突片６５２と、第１スライド当接部６１２及び第２スライド当接部６２３との当接が解除されると、第１スライド板６１及び第２スライド板６２は、第１バネ部材６１Ｓ及び第２バネ部材６２Ｓに付勢されてそれぞれ右方に向けて移動して元の状態に戻る。そうすると、第１ゲート部材５１の第１係合片５１３の下方には第１スライド板６１の切欠部６１ｂ１の左側縁部が位置することとなる。よって、第１ゲート部材５１は、上方に向けて回動することができない。
【００８９】
そして、モード検出スイッチ６４により所定位置、すなわち「待機位置」が検出された場合（ステップＳ１１３：Ｙｅｓ）、制御手段１００は、モータＭを駆動停止にさせ（ステップＳ１１４）、その後に手順をリターンさせて今回の処理を終了する。これによれば、利用者が選択した１つの商品を販売することができる。
【００９０】
一方、上記ステップＳ１０８において、取出検出センサ５から検出信号が与えられないで扉スイッチ４がオフ状態からオン状態に切り替わると（ステップＳ１０８：Ｎｏ，ステップＳ１１５：Ｙｅｓ）、制御手段１００は、商品が取り出されずに本体キャビネット１の前面開口が閉成されたことを認識することができる。
【００９１】
かかる認識をした制御手段１００は、施解錠機構３を駆動させて施錠状態にさせた後、金銭処理装置１５に未取出指令出力を与える（ステップＳ１１６，ステップＳ１１７）。かかる制御手段１００より未取出指令出力が与えられた金銭処理装置１５は、投入硬貨を硬貨返却口１６に払い出す。
【００９２】
そして、未取出指令出力を与えた制御手段１００は、解除指令を与えてモータＭを駆動させ（ステップＳ１１８）、その後に上述したステップＳ１１３及びステップＳ１１４の処理を行ってから手順をリターンさせて今回の処理を終了する。
【００９３】
次に、上記自動販売機において商品を補充する場合について説明する。この場合には、制御手段１００が、モード検出スイッチ６４が「３００°回転位置」を検出するまでモータＭを駆動させる。これによりすべての切替カム部材６５の第３突片６５３が第１スライド当接部６１２及び第２スライド当接部６２３に当接して第１スライド板６１及び第２スライド板６２を第１バネ部材６１Ｓ及び第２バネ部材６２Ｓの付勢力に抗して左方に移動させる。これにより、取出機構５０の第１ゲート部材５１は、上方に向けて回動することが可能になる。
【００９４】
そして、図２３に示すように、第１ゲート部材５１を上方に向けて回動させて対象となる商品収納コラム３１の前方域より補充商品を商品収納通路に進入させる。このとき進入された商品は第２ゲート部材５２の先端部５２２に当接することとなるが、かかる第２ゲート部材５２は、ロック部材６２２によりその回動が規制されているわけではないので、板バネ部材５３の付勢力に抗して上方に向けて回動し先端部５２２が商品収納通路から退避する。よって、商品収納コラム３１の前方域から所定本数の商品を進入させて補充を行うことができる。
【００９５】
一方、上記自動販売機において、缶入り飲料の商品を収納する商品ラック（最上段から３段目の商品ラック３０ｃ及び最下段の商品ラック３０ｄ）では次のようにして商品が取り出される。尚、ここでは最下段の商品ラック３０ｄについて説明する。
【００９６】
図２４に示すように、各商品は、載置部材３４に載置した状態で案内部材３３により左右方向に向けての移動が規制されて商品収納通路に前後方向に沿って並んで収納される。その後、金銭の投入及びラック選択ボタン１４が押下されると、カム切替部材６５の第１突片６５１に当接された第１スライド板６１が左方に向けて移動する。このように第１スライド板６１が左方に向けて移動すると切欠部６１ｂ１が第１ゲート部材５１の第１係合片５１３の下方域に位置し、第１係合片５１３の下方域は開放されることになる。これにより最下段の商品ラック３０ｄにおける各取出機構５０の第１ゲート部材５１は、上方に向けて回動することが可能になる。
【００９７】
そして、利用者が商品ラック３０ｄのいずれかの商品収納コラム３１に収納された最前の商品の取出操作を行うと次のように動作する。かかる取出操作においては、載置部材３４の前端部には規制部材３４ａが設けられていることにより、利用者は、図２５に示すように、最前の商品を前傾姿勢にして前方に引き出すことになる。つまり、最前の商品を単に前方に向けて引き出されることを規制部材３４ａにより規制している。
【００９８】
このようにして最前の商品が前傾姿勢で前方に引き出されると、第１ゲート部材５１は、ゲートバネ部材の付勢力に抗して先端部５１２が商品収納通路から退避するよう上方に向けて回動する。この場合、第２ゲート部材５２も第１ゲート部材５１と一体的に先端部５２２が商品収納通路に進出するよう下方に向けて回動する。これにより、第２ゲート部材５２の先端部５２２は、取り出される最前の商品と最前から２番目の商品との間に位置する。
【００９９】
このように第２ゲート部材５２が下方に向けて回動すると、ロック部材６２２がロックバネ部材６２２Ｓに付勢されて右方に向けて移動する。そして、ロック部材６２２が第２ゲート部材５２の上方に位置し、これにより第２ゲート部材５２は、下方に向けて回動した姿勢に保持される。従って、最前から２番目の商品より後方側に収納された商品を前方に向けて移動させることができず、同一の商品収納コラム３１において複数の商品が前方に取り出されることを規制することができる。
【０１００】
また、上方に向けて回動した第１ゲート部材５１は、先端部５１２の突部５１２ａが規制手段７０を構成するガイド部材７１の収容域７１ａに進入することになる。これにより最上段の商品ラック３０ａにおける他の商品収納コラム３１に配設された取出機構５０の第１ゲート部材５１は、突部５１２ａが駒部材７２の存在によりガイド部材７１の収容域７１ａに進入することが阻止され、結果的に上方に向けて回動することができない。従って、同一の商品ラック３０ａにおいて他の商品収納コラム３１から商品が取り出されることを抑制することができる。
【０１０１】
以上説明したように本発明の実施の形態である商品収納装置が適用された自動販売機においては、ラック選択機構６０は、待機状態においてはすべての商品ラック３０ａ〜３０ｄを商品の取り出しを規制する状態にする。そして、ラック選択機構６０は、販売指令が与えられた場合には指定された段の商品ラック（３０ａ）のみ商品の取り出しを許容する状態にする。商品収納コラム３１毎に配設された取出機構５０は、常態においては該商品収納コラム３１に収納された商品が取り出されることを規制する一方、該商品収納コラム３１を有する商品ラック（３０ａ）がラック選択機構６０により商品の取り出しを許容された場合には、商品の取出操作に応じて動作して最前の商品のみが取り出されることを許容する。商品ラック３０ａ〜３０ｄ毎に配設された規制手段７０は、自身が設けられた商品ラック３０ａ〜３０ｄがラック選択機構６０により商品の取り出しが許容された場合には、いずれか１つの取出機構５０が動作することを許容し、該商品ラック３０ａ〜３０ｄにおける他の取出機構５０が動作することを規制する。これにより、従来の自動販売機のようにバケット駆動手段を用いなくても利用者に希望の商品を購入させることができる。しかも、無人で商品を販売するという自動販売機本来の機能を保持させることができる。また、商品販売動作の一部を利用者の取出操作に委ねることで構造の簡易化を図ることができる。従って、部品点数の削減等を行うことでコストの低減化を図ることができる。
【０１０２】
上記自動販売機を構成する商品収納装置２０においては、第１スライド板６１が常態においては基準位置に位置して第１ゲート部材５１が商品収納通路から退避することを規制するので、商品収納コラム３１に収納された商品が取り出されることを抑制することができる。また、切替カム部材６５が第１スライド板６１を基準位置から移動させることで、第１ゲート部材５１及び第２ゲート部材５２をフリーな状態にすることができる。この場合に利用者により商品収納通路の最前の商品が取り出されると、第１ゲート部材５１は商品収納通路から退避し、第２ゲート部材５２は商品収納通路に進出する。第２ゲート部材５２が商品収納通路に進出すると、ロック部材６２２が該第２ゲート部材５２の第２係合片５２３の上方に移動することから第２ゲート部材５２は商品収納通路に進出した姿勢に保持される。これにより最前から２番目の商品が前方に向けて移動することが規制される。更に、切替カム部材６５が第１スライド板６１だけでなく第２スライド部材も基準位置から移動させることで、ロック部材６２２を第２ゲート部材５２の第２係合片５２３の上方から離脱させることができ、これにより第１ゲート部材５１を商品収納通路に進出させ、第２ゲート部材５２を商品収納通路から退避させることができる。このように商品の取出操作を利用者に委ねることで従来の自動販売機のようにバケットやバケット駆動手段を用いる必要がなくコストを低減させることができる。しかも第１ゲート部材５１が商品収納通路から退避しても第２ゲート部材５２が商品収納通路に進出することで商品収納コラムから商品を１つずつ取り出させることができる。従って、コストの低減化を図りながら、商品収納コラムに収納された商品を１つずつ確実に取り出させることができる。
【０１０３】
上記自動販売機を構成する商品収納装置２０においては、各商品収納コラム３１を構成するレール部材３２が、商品のキャップ取付部２００ｂを支持することにより該商品を起立姿勢に吊り下げた状態で商品収納通路に収納させるので、胴体部２００ｄがフラット形状等の異形容器に収容された商品についても商品詰まりを発生させずに良好に収納することができる。
【０１０４】
上記自動販売機を構成する商品収納装置２０においては、各商品収納コラム３１を構成する載置部材３４が、円筒状の商品を起立姿勢で載置して商品収納通路に収納させるので、レール部材３２で吊り下げることができない容器に収容された商品についても商品詰まりを発生させずに良好に収納することができる。
【０１０５】
上記自動販売機を構成する商品収納装置２０においては、規制手段７０が商品の取出操作に応じて上方に向けて回動する１つの第１ゲート部材５１の突部５１２ａが収容域７１ａに進入した場合に、他の取出機構５０における第１ゲート部材５１の突部５１２ａが該収容域７１ａに進入することを阻止して他の取出機構５０における第１ゲート部材５１の退行移動を規制する。これにより、１つの商品ラック３０ａ〜３０ｄから複数の商品が取り出されることを確実に防止することができる。
【０１０６】
以上、本発明の好適な実施の形態について説明したが、本発明はこれに限定されるものではなく、種々の変更を行うことができる。
【０１０７】
上述した実施の形態では、１つの本体キャビネット１に１つの入力処理ユニット１０が取り付けられて自動販売機を構成していたが、本発明においては、図２６に示すように、入力処理ユニット１０と、入力処理を備えていない複数の本体キャビネット１とを通信可能に接続することで、１つの入力処理ユニット１０と複数の本体キャビネット１とが接続して自動販売機を構成するようにしても構わない。これによっても利用者の希望商品を１つだけ販売することが可能であり、しかも多種多様の商品の販売が可能となる。
【０１０８】
上述した実施の形態では、外扉２の窓部２ａを介して本体キャビネット１の内部を視認することができるものであった。本発明においては、扉体（外扉２）だけに限られず、自動販売機本体（本体キャビネット１）が透明な断熱ガラス材によって形成されることで、該自動販売機本体に窓部が形成されても良い。これによれば、扉体にだけに限られず、自動販売機本体の窓部を介して内部を視認することができる。
【産業上の利用可能性】
【０１０９】
以上のように、本発明に係る商品収納装置は、例えば缶入り飲料やペットボトル入り飲料を販売する自動販売機に有用である。
【符号の説明】
【０１１０】
１  本体キャビネット
１ａ  収納室
２  外扉（扉体）
２ａ  窓部
３  施解錠機構
４  扉スイッチ
１０  入力処理ユニット
１１  ユニット本体
１２  硬貨投入口
１３  表示部
１４  ラック選択ボタン
１５  金銭処理装置
２０  商品収納装置
３０ａ  商品ラック
３０ｂ  商品ラック
３０ｃ  商品ラック
３０ｄ  商品ラック
３１  商品収納コラム
３２  レール部材
３３  案内部材
３４  載置部材
４０  プッシャ部材
４１  ゼンマイバネ部材
５０  取出機構
５０ａ  軸部
５１  第１ゲート部材
５１１  基端部
５１２  先端部
５１２ａ  突部
５１３  第１係合片
５２  第２ゲート部材
５２２  先端部
５２３  第２係合片
５３  板バネ部材
６０  ラック選択機構
６１  第１スライド板
６１Ｓ  第１バネ部材
６１ｂ１  切欠部
６２  第２スライド板
６２Ｓ  第２バネ部材
６２１  貫通孔
６２２  ロック部材
６３  支持ロッド
６３１  連結ギヤ
６４  モード検出スイッチ
６５  切替カム部材
６５１  第１突片
６５２  第２突片
６５３  第３突片
７０  規制手段
７１  ガイド部材
７２  駒部材
１００  制御手段
２００ａ  キャップ
２００ｂ  キャップ取付部
２００ｃ  括れ部分
２００ｄ  胴体部
Ｍ  モータ
【図１】
0005742328.tif 000002
【図２】
0005742328.tif 000003
【図３】
0005742328.tif 000004
【図４】
0005742328.tif 000005
【図５】
0005742328.tif 000006
【図６】
0005742328.tif 000007
【図７】
0005742328.tif 000008
【図８】
0005742328.tif 000009
【図９】
0005742328.tif 000010
【図１０】
0005742328.tif 000011
【図１１】
0005742328.tif 000012
【図１２】
0005742328.tif 000013
【図１３】
0005742328.tif 000014
【図１４】
0005742328.tif 000015
【図１５】
0005742328.tif 000016
【図１６】
0005742328.tif 000017
【図１７】
0005742328.tif 000018
【図１８】
0005742328.tif 000019
【図１９】
0005742328.tif 000020
【図２０】
0005742328.tif 000021
【図２１】
0005742328.tif 000022
【図２２】
0005742328.tif 000023
【図２３】
0005742328.tif 000024
【図２４】
0005742328.tif 000025
【図２５】
0005742328.tif 000026
【図２６】
0005742328.tif 000027